(57)【要約】【課題】カメラよりレンズキャップを外さなくともレンズキャップが開閉できることと、そのキャップが自在に３６０度旋回し、又、キャップの開き角度を自由に設定できるので、キャップの紛失を防止し、撮影時に光源の明暗や逆光を調整し極めて迅速にキャップの開閉を操作できることでシャッターチャンスを逃さないで撮影し、キャップとフードの役目をすると共に、撮影の状態によっては旋回リング共に着脱自在とし、他の器具やアクセサリー等も取付け可能となるレンズ・フードとレンズキャップを兼ねたレンズキャップを提供する。【解決手段】カメラのレンズ筒（１）において、全周に溝（２）を設け、その溝（２）に、はまり込む突起（３）と蝶番部（４）を設けた旋回リング（５）を形成する。そして、蝶番部（６）を設けたレンズキャップ（７）を形成し、旋回リング（５）に設けた蝶番部（４）に組付け、ボルト（８）を通し、ナット（９）で締付けし、レンズキャップ（７）を開閉自在と設け、又、３６０度旋回自在とする。そして、レンズ筒（１）に着脱自在としたことを特徴とする。【選択図】  図２
2004258595.tif 000002
【特許請求の範囲】
【請求項１】
カメラのレンズ筒（１）において、溝（２）を設け、その溝（２）に、はまり込む突起（３）と蝶番部（４）を設けた旋回リング（５）を形成する、そして、蝶番部（６）を設けたレンズキャップ（７）を形成し、旋回リング（５）に設けた蝶番部（４）に組付け、ボルト（８）を通し、ナット（９）で締付けしレンズキャップ（７）が開閉自在と旋回自在に設け、レンズ筒（１）に着脱自在としたことを特徴とした、レンズ・フードとレンズキャップを兼ねたレンズキャップ。
【発明の詳細な説明】
【０００１】
【発明の属する技術分野】
この発明は、カメラレンズ前部分に装着しているキャップをカメラより外さなくとも開閉できることと、そのキャップが自在に３６０度旋回し、又、キャップの開き角度を自由に設定できるようにし、キャップの紛失を防止し、撮影時に光源の明暗や逆光を調整し極めて迅速にキャップの開閉が操作できることでシャッターチャンスを逃さないで撮影しキャップとフードの役目をすると共に、また、必要に応じて全体を着脱自在としたことを特徴とした、レンズ・フードとレンズキャップを兼ねたレンズキャップに関するものである。
【０００２】
【従来の技術】
従来、一般に市販されているカメラは、レンズのキャップは撮影する時はカメラより必ず外さなければならない。
又、従来には、ビデオカメラの場合は、レンズカバーをレンズフードの前面側に開放させる位置と閉塞する位置に変移できるようにビデオカメラ本体に装着されている。（実用新案文献１）
又、カメラのレンズカバー装置には、レンズ鏡筒カバーの前側にて、レンズカバーを撮影レンズの光軸方向に開閉させるようになっている。（特許文献２）
【０００３】
【実用新案文献１】
実開昭６１−１２１４３１号公報
【特許文献２】
特開昭６２−２４４０２６号公報
【０００４】
【発明が解決しようとする課題】
これには次のような欠点があった
（イ）、従来のカメラでは、撮影する時にカメラのレンズよりキャップを外すために、キャップが紛失することがあった。又、撮影時の逆光の防止や微妙な光源の明暗の調整をしてシャッター切ることができないので、最適な撮影ができない欠点があった。
（ロ）、実用新案文献１では、ビデオカメラのレンズカバーは開閉だけを目的とするもので、レンズカバーは自由に旋回しないので、どの方向からでも入ってくる逆光や光源の明暗の調整をしてシャッターを切ることができないので、最適な撮影ができない欠点があった。
（ハ）、特許文献２の場合は、レンズカバーは両開きするだけのことで、一方向や横や斜からの逆光や光源の明暗の調整をしてシャッターを切ることができないので、最適な撮影ができない欠点があった。
したがって、いずれの場合も風景や動植物、人物などを撮影する一般のカメラにはレンズカバーが開閉と旋回して、開閉角度と旋回位置を調整し停止させる構成にはなっていない。
本発明は、以上の欠点を解決するためになされたものである。
【０００４】
【課題を解決するための手段】
カメラのレンズ筒（１）において、全周に溝（２）を設け、その溝（２）に、はまり込む突起（３）と蝶番部（４）を設けた旋回リング（５）を形成する。そして、蝶番部（６）を設けたレンズキャップ（７）を形成し、旋回リング（５）に設けた蝶番部（４）に組付け、ボルト（８）を通し、ナット（９）で締付けしレンズキャップ（７）を開閉自在と旋回自在に設け、レンズ筒（１）に着脱自在とする。
本発明は、以上のように構成する。
【０００５】
【発明の実施の形態】
以下、本発明の実施の形態を説明する。
（イ）、旋回リング（５）をレンズ筒（１）に挿入する時に多少広がりながら突起（３）が溝（２）に、はまり込んで縮少し、レンズ筒（１）より旋回リング（５）が抜けて外れないように装着すると共に、多少の予圧がかかり旋回リング（５）が、どの旋回角度でも停止できるようにするために、旋回リング（５）の素材は、弾力性や伸縮性を有するゴムやプラスチック等の合成樹脂材が適当である。
（ロ）、レンズ筒（１）の入口側の外周にテーパー部（１０）と旋回リング（５）の入口側の内周にテーパー部（１１）を設ける。
（ハ）、レンズキャップ（７）はフードの役目もするので、レンズキャップ（７）の直径は大きい方が望ましい。
本発明は、以上の構成よりなっている。
本発明を使用する時は、カメラのレンズ筒（１）に旋回リング（５）とも装着されており、レンズキャップ（７）はレンズ筒（１）の前面側を閉じている。本発明の主目的は、カメラよりキャップを外さなくともキャップの開閉と旋回できることであり、レンズ筒（１）に閉じているレンズキャップ（７）を適当に開いて、そのまま光源側に旋回リング（５）を回し、レンズキャップ（７）の開き角度を調整する。さらに旋回位置を正確に調整しながら合わせて、光源がもっとも適したところでシャッターを切れば最適な撮影ができる。
又、旋回リング（５）は、予圧がかかりレンズ筒（１）に装着されるので、３６０度の、どの位置でも自由に停止できる。
又、レンズキャップ（７）は、ナット（９）の締付けにより開閉強さが自由に調整が可能で、どの角度でも自由に停止できる。
又、撮影の状況によっては、カメラのレンズ筒（１）部分に他の器具やアクセサリー等を装着し、より良い撮影が必要とする場合がある。その時は、旋回リング（５）を強く引くと溝（２）から突起（３）が外れて旋回リング（５）共に全体を外すことができる。しかし、旋回リング（５）がレンズ筒（１）に装着されている時は、溝（２）に突起（３）が、はまり込んでいるので、自然に外れることはないので紛失することがなく安全であり、安心できる。
【０００６】
【発明の効果】
通常の場合は、カメラのレンズ筒に外れないようにレンズキャップが装着されているので、カメラより外さなくともレンズキャップが開閉できるので、紛失することがなくなる。
又、レンズキャップの開閉角度と旋回位置が迅速に自由に設定し停止できるので、光源の明暗や逆光を調整しシャッターチャンスを逃すことがなく最適な写真撮影が可能となる。
又、本発明は撮影の状況によっては着脱自在とできる構成となっており、より良い写真撮影ができる。本発明の着脱は、押込むだけで装着でき、引くだけで外すことができるので誰にでも簡単に操作できる。しかし、通常の時は自然に外れることはない。
又、レンズキャップの開閉強さはナットの絞付けにより自由に調整できるようになっている。尚、ナットは、緩み止め付きナットが望ましい。
【図面の簡単な説明】
【図１】本発明の全体の正面図、一部分レンズキャップの旋回状態を想像線で示す
【図２】本発明の図１中Ａ−Ａ線矢視の拡大断面図。一部分レンズキャップの開閉状態を想像線で示す
【図３】本発明の図１中Ｂ−Ｂ線矢視の拡大断面図
【図４】本発明の中心より半分のみ示す拡大断面図で、レンズ筒に装着された状態と外れている状態を想像線で示す
【符号の説明】
１    レンズ筒
２    溝
３    突起
４    蝶番部
５    旋回リング
６    蝶番部
７    レンズキャップ
８    ボルト
９    ナット
１０  テーパー部
１１  テーパー部
１２  レンズ
【図１】
2004258595.tif 000003
【図２】
2004258595.tif 000004
【図３】
2004258595.tif 000005
【図４】
2004258595.tif 000006